(57)【要約】【課題】指針式計器装置において、指針のデザイン上の制約を受けにくくし、設計上のデザイン自由度が向上する指針式表示装置を得ることができる。【解決手段】指示部１１および基部１２を有する発光式の指針１と、この指針１の背後に配置され基部１２に設けられた取付部１７が挿通される貫通穴２を有する表示板３と、この表示板３の背後に配置され取付部１７が固着される指針軸７を有する指針駆動装置８と、表示板３の背後に配置され指示部１１を照明する指針用発光ダイオード９とを備えた指針式表示装置に於いて、指示部１１とは反対側の基部１２箇所に貫通穴２に挿通されて指針用発光ダイオード９側に伸びる導光部１８を設け、この導光部１８の先端側を指示部１１とは反対側に屈曲形成した。【選択図】図１
2009156668.tif 000002
【特許請求の範囲】
【請求項１】
指示部および基部を有する発光式の指針と、
この指針の背後に配置され前記基部に設けられた取付部が挿通される貫通穴を有する表示板と、
この表示板の背後に配置され前記取付部が固着される指針軸を有する指針駆動装置と、
前記表示板の背後に配置され前記指示部を照明する光源と、
を備えた指針式表示装置に於いて、
前記指示部とは反対側の前記基部箇所に前記貫通穴に挿通されて前記光源側に伸びる導光部を設け、
この導光部の先端側が前記指示部とは反対側に屈曲形成されていることを特徴とする指針式表示装置。
【請求項２】
前記導光部の先端が前記貫通穴の穴径よりも外側に位置するように設けられたことを特徴とする請求項１に記載の指針式表示装置。
【請求項３】
前記取付部周りの重量バランスを保つために、前記指示部の重量に対応した重りを前記導光部の先端側に配置したことを特徴とする請求項１または請求項２に記載の指針式計器装置。
【請求項４】
前記導光部は合成ゴムからなり、前記基部とは別体であることを特徴とする請求項１から請求項３のいずれかに記載の指針式計器装置。
【請求項５】
指示部および基部を有する発光式の指針と、
この指針の背後に配置され前記基部に設けられた取付部が挿通される貫通穴を有する表示板と、
この表示板の背後に配置され前記取付部が固着される指針軸を有する指針駆動装置と、
前記表示板の背後に配置され前記指示部を照明する光源と、
を備えた指針式表示装置に於いて、
前記指示部とは反対側の前記基部箇所に前記貫通穴に挿通されて前記光源側に伸びる導光部を前記取付部と平行に設け、
前記取付部周りの重量バランスを保つために、前記指示部の重量に対応した重りを前記導光部の先端側に配置したことを特徴とする指針式表示装置。
【発明の詳細な説明】
【技術分野】
【０００１】
本発明は、例えば車両に搭載される指針式表示装置に関し、特に、指針の改良に関するものである。
【背景技術】
【０００２】
従来の指針表示装置として、例えば特許文献１に記載のものがある。この指針式表示装置は、指針軸２の軸線と直交して前後方向に伸長する指針１と、光源１３からの出射光を指針１に導く受光部３と、指針１及び受光部３の重量バランスを保つための重り５と、受光部３及び重り５の周囲を覆う指針キャップ６とを備えた指針式表示装置である。この指針１の受光部３は前側受光部３Ａと後側受光部３Ｂとからなり、重り５は後側指針１Ｂの下方に配設されこの後側受光部３Ｂからの出射光を後側指針１Ｂに導く反射面１９を有するものである。
【特許文献１】特開２００１−５３６０５号公報
【発明の開示】
【発明が解決しようとする課題】
【０００３】
しかしながら、このような指針式表示装置は、指針キャップ内に重りを配設するため、指針キャップを小型化する上での妨げとなるなど、デザインに制約を受けやすく、指針の設計上の自由度を制限してしまうといった問題点を有している。
【０００４】
本発明は、この点に鑑みなされたものであって、指針のデザイン上の制約を受けにくくし、設計上のデザイン自由度が向上する指針式表示装置を提供することを目的とする。
【課題を解決するための手段】
【０００５】
本発明は前記課題を解決するため、指示部および基部を有する発光式の指針と、
この指針の背後に配置され前記基部に設けられた取付部が挿通される貫通穴を有する表示板と、
この表示板の背後に配置され前記取付部が固着される指針軸を有する指針駆動装置と、
前記表示板の背後に配置され前記指示部を照明する光源と、
を備えた指針式表示装置に於いて、
前記指示部とは反対側の前記基部箇所に前記貫通穴に挿通されて前記光源側に伸びる導光部を設け、
この導光部の先端側が前記指示部とは反対側に屈曲形成されているものである。
【０００６】
また本発明は、前記導光部の先端が前記貫通穴の穴径よりも外側に位置するように設けられたものである。
【０００７】
また本発明は、前記取付部周りの重量バランスを保つために、前記指示部の重量に対応した重りを前記導光部の先端側に配置したものである。
【０００８】
また本発明は、前記導光部は合成ゴムからなり、前記基部とは別体であるものである。
【０００９】
また本発明は、指示部および基部を有する発光式の指針と、
この指針の背後に配置され前記基部に設けられた取付部が挿通される貫通穴を有する表示板と、
この表示板の背後に配置され前記取付部が固着される指針軸を有する指針駆動装置と、
前記表示板の背後に配置され前記指示部を照明する光源と、
を備えた指針式表示装置に於いて、
前記指示部とは反対側の前記基部箇所に前記貫通穴に挿通されて前記光源側に伸びる導光部を前記取付部と平行に設け、前記取付部周りの重量バランスを保つために、前記指示部の重量に対応した重りを前記導光部の先端側に配置したものである。
【発明の効果】
【００１０】
指針式表示装置において、指針のデザイン上の制約を受けにくくし、設計上のデザイン自由度が向上する指針式表示装置を得ることができる。
【発明を実施するための最良の形態】
【００１１】
以下添付図面に基づいて、本発明を適用した指針式表示装置の実施形態を説明する。図１は本発明の第１実施形態を示す指針式表示装置の部分断面図である。
【００１２】
図１において、本実施形態における指針式計器装置は、発光式の指針１と、この指針１の背後に配置され貫通穴２を有する表示板３と、表示板３の背後に配置された回路基板４と、表示板３と回路基板４との間に配置され表示板３が保持され円筒部５を有するケース６と、回路基板４の背面側に固定され回路基板４を貫通して前方側に延びる指針軸７を有する例えばステッピングモーター式の駆動装置８を備えている。
【００１３】
回路基板４は、ガラスエポキシ樹脂などを用いた硬質の回路基板４であり、指針１を照明する指針用発光ダイオード９（光源）と表示板３を照明する表示板用発光ダイオード１０（光源）が複数実装されている。この指針用発光ダイオード９と表示板用発光ダイオード１０は、例えばトップビュータイプであり、白色で発光するものである。
【００１４】
表示板３は、例えば、光透過性の合成樹脂板にスクリーン印刷を施してなるもので、詳細は図示しないが、背景となる例えば黒色の遮光性の地部と、車両の速度等を示す目盛や数字などの透過性を有する例えば白色の指標部とを有しており、表示板用発光ダイオード１０が点灯した際も指標部が白色で透過照明されるようになっている。
【００１５】
指針１は、指示部１１および基部１２を有する指針本体１３と、カップ型の遮光性の合成樹脂からなり基部１２の周囲を覆う指針キャップ１４と、重量バランスを安定させるために指示部１１の重量に対応した重り１５と、基部１２の下方に位置する略円形の台座１６とを備えている。
【００１６】
指針本体１３は、例えば無色透明なアクリル，ポリカーボネート等の光透過性である合成樹脂からなり、長手方向に延び表示板３の指標部を指示する指示部１１と、基部１２と、この基部１２の中央下方に設けられ駆動装置８の指針軸７に固着される取付部１７と、取付部１７を挟んで指示部１１とは反対側の基部１２箇所に設けられ、先端側が指示部１１とは反対側にくの字形に屈曲形成された導光部１８を有している。
【００１７】
また、導光部１８の先端は表示板３に設けられた貫通穴２の穴径よりも外側に位置するように設けられている。また、導光部１８の先端には指針用発光ダイオード９の光を受光する受光部１９が設けられており、この受光部１９から導光部１８内に入射した光が基部１２に設けられた反射面２０に反射して指示部１１に導かれるようになっている。
【００１８】
重り１５は、黄銅，ステンレスなどの金属部材あるいは樹脂に金属粉末を混入させた樹脂部材からなり、例えば導光部１８の先端側に設けられた位置決め用のリブ２１間に接着固定されている。
【００１９】
台座１６は、遮光性の合成樹脂からなり、指針用発光ダイオード９の光が基部１２の背面から入射して、指示部１１の照明にムラを起こさないように光の入射を遮光するものである。なお、詳細は図示しないが、この台座１６を指針キャップ１４の周壁２２の内側に所謂フック止めすることによって指針本体１３および台座１６が指針キャップ１４に組み付けられるようになっている。
【００２０】
次に、指針１を駆動装置８の指針軸７に固着する方法について説明する。表示板３がケース６に保持された状態で、指針１の取付部１７を指針軸７に固着するようにするが、前述した様に導光部１８の先端位置が表示板３の貫通穴２の穴径よりも外側であるために、導光部１８の先端が貫通穴２周縁に引っ掛かり入らない。そこで、貫通穴２に対して指針１を指示部１１側に寄せた状態で導光部１８の先端側から貫通穴２に挿入する。その後、取付部１７の中心と指針軸７の中心とを合わせてから取付部１７を指針軸７に固着する。なお、図示しないが、略円筒状のカラーを用いて表示板３の貫通穴２周縁をケース６の円筒部５に固定するようにしても良い。
【００２１】
この様に構成された指針式表示装置に於いて、例えば白色で発光する指針用発光ダイオード９が点灯すると、指針用発光ダイオード９からの光は導光部１８に設けられている受光部１９から入射し、導光部１８内を導かれた光が反射面２０に反射して指示部１１側に導かれて指針１の指示部１１が白色で照明されるようになる。
【００２２】
以上の通り、指針１の指示部１１とは反対側の基部１２箇所に表示板３の貫通穴２に挿通されて指針用発光ダイオード９側に伸びる導光部１８を設け、この導光部１８の先端側を指示部１１とは反対側に屈曲形成したことにより、導光部１８が指針１の指示部１１に指針用発光ダイオード９からの光を導く機能を有すると共に、指針１の取付部１７周りの重量バランスを保つ重りとしての役目も果たすため、従来の様に指針キャップ１４内に重りを配設する必要がなく、指針キャップ１４を小型化できるなど設計上のデザイン自由度を向上させることができる。また、導光部１８の先端側を指示部１１とは反対側に屈曲形成させることで、導光部１８がストレートのものに比べて導光部１８の重心位置が指示部１１とは反対側に移動するために、指針１のバランス取りが有利となり、指示部１１がより重くなるようなデザイン、例えばより長いまたはより太い指針デザインが可能となる。
【００２３】
また、本実施形態では導光部１８の先端を表示板３の貫通穴２の穴径よりも外側に位置するように設けたことにより、導光部１８の重心位置が指示部１１とは反対側により移動するために、指針１のバランス取りがより有利となり、指示部１１がより重くなるようなデザイン、例えばより長いまたはより太い指針デザインが可能となる。
【００２４】
また、本実施形態では導光部１８の先端側に指示部１１の重量バランスを保つための重り１５を配置したことにより、指針１のバランス取りが更に有利となり、指示部１１が更に重くなるようなデザインが可能となる。
【００２５】
図２は、本発明の第２実施形態を示す指針式表示装置の部分断面図である。本実施形態に於ける導光部は、基部とは別部材の弾性を有する透過性の合成ゴムからなる。また、駆動装置の指針軸に固着される取付部を台座に設けたものである。なお、前記第１実施形態と共通する部分には同一の符号を付してあり、重複する説明は省略する。
【００２６】
台座１６は、遮光性の合成樹脂からなり、駆動装置８の指針軸７に固着される取付部１７が一体に設けられている。
【００２７】
導光部１８の先端側は、前記第１実施形態と同様に、指示部１１とは反対側に位置するように屈曲形成され、先端側に重り１５が接着固定されている。また、この導光部１８の中心には台座１６と一体に形成された取付部１７の外径より僅かに径小の取付穴２３が設けられており、取付部１７に圧入されて台座１６に保持（装着）されている。
【００２８】
この様に、指針１の指示部１１に指針用発光ダイオード９からの光を導くと共に、指針１の取付部１７周りの重量バランスを保つ重りとしての役目を果たす導光部１８を基部１２とは別体である合成ゴムとしたことにより、前記第１実施形態と同様な効果が得られると共に、導光部１８が弾性体であるため、屈曲角度が大きく、指示部１１と逆方向に大きく延び、貫通穴２に挿入しにくい形状でも、弾性体である導光部１８を一時的に外力を加えてストレート形状にしてやることで、容易に挿入可能となり、指針１のバランス取りが可能な領域をより広くできる。
【００２９】
図３は、本発明の第３実施形態を示しており、本実施例では前記第１実施形態と同様に導光部が基部と一体であるが、導光部を取付部と平行に設け、この導光部の先端側に重りを配置したものである。他は前記第１実施形態と同様であるため、共通する部分には同一の符号を付し、重複する説明は省略する。
【００３０】
導光部１８は、駆動装置８の指針軸７に固着される取付部１７と平行に設けてある。そして、先端側には重り１５がリブ２１間に接着固定されている。
【００３１】
この様に構成したことにより、前記各実施形態と同様な効果を得ることができる。また、導光部１８の先端側が屈曲されていないため、指針１を駆動装置８の指針軸７に固着する際に導光部１８の先端（或いは重り１５）が表示板３の貫通穴２周縁に引っ掛かることもなく、作業性が良い。
【００３２】
なお、前記第１および第２実施形態では導光部１８の先端側をくの字形に屈曲形成したが、先端を略９０度に屈曲させても良い。また、前記各実施形態では導光部１８の先端側に重り１５を接着固定したが、導光部１８のみでバランス取りが可能であれば、重りを接着する必要がなく、部品点数や組み付け工数の低減となる。重り１５を用いる場合であっても導光部１８の体積が大きい（重い）ため、小さな重りで良く、スペースを必要としないで済む。
【図面の簡単な説明】
【００３３】
【図１】本発明の第１実施形態を示す指針式表示装置の部分断面図。
【図２】本発明の第２実施形態を示す指針式表示装置の部分断面図。
【図３】本発明の第３実施形態を示す指針式表示装置の部分断面図。
【符号の説明】
【００３４】
１  指針
２  貫通穴
３  表示板
７  指針軸
８  駆動装置
９  指針用発光ダイオード（光源）
１１  指示部
１２  基部
１５  重り
１７  取付部
１８  導光部
【図１】
2009156668.tif 000003
【図２】
2009156668.tif 000004
【図３】
2009156668.tif 000005